(57)【要約】【課題】第１空間の空気を調和するために空気調和機で消費された電力と、第２空間の空気を調和するために当該空気調和機で消費された電力と、を特定できる消費電力特定装置、消費電力特定システム、及び、消費電力特定プログラムを提供する。【解決手段】消費電力特定装置１００は、第１通風路から第１空間へ流入した空気の第１流入量と第１温度とに基づいて、空気調和機が第１通風路へ送出した空気の第１送出量を特定し、第２空間へ流入した空気の第２流入量と第２温度とに基づいて第２通風路へ送出された空気の第２送出量を特定する送出量特定部１２０を備える。また、消費電力特定装置１００は、第１送出量と第２送出量とに基づいて空気調和機の消費電力を按分し、第１空間の空気を調和するために消費された電力と、第２空間の空気を調和するために消費された電力と、を特定する消費電力特定部１３０を備える。【選択図】図５
2018185072.tif 000002
【特許請求の範囲】
【請求項１】
第１空間へ延びる第１通風路と、前記第１空間と異なる第２空間へ延びる第２通風路と、に対して空気を送出する空気調和機の消費電力を表す情報を取得する電力情報取得部と、
前記第１通風路から前記第１空間へ流入した空気の量である第１流入量を表す情報と、前記第２通風路から前記第２空間へ流入した空気の量である第２流入量を表す情報と、を取得する流入量情報取得部と、
前記第１通風路から前記第１空間へ流入した空気の温度である第１温度を表す情報と、前記第２通風路から前記第２空間へ流入した空気の温度である第２温度を表す情報と、を取得する温度情報取得部と、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部と、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部と、を備える、
消費電力特定装置。
【請求項２】
前記第１通風路から前記第１空間へ流入した空気の温度である前記第１温度と、前記第１通風路に送出された空気の温度である基準温度と、の温度差である第１温度差に基づいて、前記第１通風路から流入した空気の量である前記第１流入量に対する、前記第１通風路に送出された空気の量である前記第１送出量の割合を表す第１割合変数、及び、前記第２通風路から前記第２空間へ流入した空気の温度である前記第２温度と、前記第２通風路に送出された空気の温度でもある前記基準温度と、の温度差である第２温度差に基づいて、前記第２流入量に対する前記第２送出量の割合を表す第２割合変数、を特定するために用いられる特定関数を記憶する情報記憶部、をさらに備え、
前記送出量特定部は、前記第１温度差を前記特定関数に用いることで前記第１割合変数を特定し、前記第１割合変数と前記第１流入量とに基づいて前記第１送出量を特定し、前記第２温度差を前記特定関数に用いることで前記第２割合変数を特定し、前記第２割合変数と前記第２流入量とに基づいて前記第２送出量を特定する、
請求項１に記載の消費電力特定装置。
【請求項３】
前記送出量特定部は、前記空気調和機が暖房運転している場合、前記第１通風路から流入した空気の温度である前記第１温度が、前記第１通風路に送出された空気の温度である前記基準温度よりも高ければ、前記特定関数を用いて、前記第１通風路から流入した空気の前記第１流入量と、前記第１通風路に送出された空気の前記第１送出量と、が等しい量であることを表す等割合変数を、前記第１割合変数として特定する、
請求項２に記載の消費電力特定装置。
【請求項４】
前記送出量特定部は、前記空気調和機が暖房運転している場合、前記第１温度が、前記第１通風路の外の空気の温度である外部温度よりも低ければ、前記特定関数を用いて、前記第１通風路に対する空気の送出が停止していることを表す停止時割合変数を、前記第１割合変数として特定する、
請求項３に記載の消費電力特定装置。
【請求項５】
前記送出量特定部は、前記空気調和機が暖房運転している場合、前記第１温度が前記外部温度よりも高く、かつ、前記基準温度よりも低ければ、前記特定関数を用いて、前記第１温度が前記外部温度であるときに用いられる前記停止時割合変数と、前記第１温度が前記基準温度であるときに用いられる前記等割合変数と、を補間した変数を、前記第１割合変数として特定する、
請求項４に記載の消費電力特定装置。
【請求項６】
前記送出量特定部は、前記空気調和機が冷房運転をしている場合、前記第１温度が前記基準温度よりも低ければ、前記特定関数を用いて、前記等割合変数を前記第１割合変数として特定する、
請求項４又は５に記載の消費電力特定装置。
【請求項７】
前記送出量特定部は、前記空気調和機が冷房運転をしている場合、前記第１温度が前記外部温度よりも高ければ、前記特定関数を用いて、前記停止時割合変数を前記第１割合変数として特定する、
請求項６に記載の消費電力特定装置。
【請求項８】
前記送出量特定部は、前記空気調和機が冷房運転をしている場合、前記第１温度が前記基準温度よりも高く、かつ、前記外部温度よりも低ければ、前記特定関数を用いて、前記第１温度が前記外部温度であるときに用いられる前記停止時割合変数と、前記第１温度が前記基準温度であるときに用いられる前記等割合変数と、を補間した変数を、前記第１割合変数として特定する、
請求項７に記載の消費電力特定装置。
【請求項９】
前記消費電力特定部が特定した前記第１消費電力に基づいて、前記第１空間の空気を調和するために前記空気調和機が消費した電力量である第１消費電力量を特定し、前記第２消費電力に基づいて、前記第２空間の空気を調和するために前記空気調和機が消費した電力量である第２消費電力量を特定する消費電力量特定部と、
前記消費電力量特定部で特定された前記第１消費電力量を表す情報と、前記第２消費電力量を表す情報と、を出力する情報出力部と、をさらに備える、
請求項１から８のいずれか一項に記載の消費電力特定装置。
【請求項１０】
第１空間へ延びる第１通風路と、前記第１空間と異なる第２空間へ延びる第２通風路と、に対して空気を送出する空気調和機の消費電力を表す情報を取得する電力情報取得部と、
前記第１通風路から前記第１空間へ流入した空気の量である第１流入量を測定する第１流入量測定部と、
前記第２通風路から前記第２空間へ流入した空気の量である第２流入量を測定する第２流入量測定部と、
前記第１通風路から前記第１空間へ流入した空気の温度である第１温度を測定する第１温度測定部と、
前記第２通風路から前記第２空間へ流入した空気の温度である第２温度を測定する第２温度測定部と、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部と、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部と、を備える、
消費電力特定システム。
【請求項１１】
前記消費電力特定部が特定した前記第１消費電力に基づいて、前記第１空間の空気を調和するために前記空気調和機が消費した電力量である第１消費電力量を特定し、前記第２消費電力に基づいて、前記第２空間の空気を調和するために前記空気調和機が消費した電力量である第２消費電力量を特定する消費電力量特定部と、
前記消費電力量特定部で特定された前記第１消費電力量を表す情報と、前記第２消費電力量を表す情報と、を出力する情報出力部と、をさらに備える、
請求項１０に記載の消費電力特定システム。
【請求項１２】
前記第１空間は、前記空気調和機が接続された分電盤を介して供給された電力量に対して料金を支払う契約を結んだ契約者によって使用されており、
前記第２空間は、前記契約者と異なる者によって使用されており、
前記分電盤を介して供給された電力量から、前記第２空間の空気を調和するために消費された前記第２消費電力量を控除された電力量に基づいて料金を計算し、前記計算した料金を前記契約者に課金する課金部、をさらに備える、
請求項１１に記載の消費電力特定システム。
【請求項１３】
コンピュータを、
第１空間へ延びる第１通風路と、前記第１空間と異なる第２空間へ延びる第２通風路と、に対して空気を送出する空気調和機の消費電力を表す情報を取得する電力情報取得部、
前記第１通風路から前記第１空間へ流入した空気の量である第１流入量を表す情報と、前記第２通風路から前記第２空間へ流入した空気の量である第２流入量を表す情報と、取得する流入量情報取得部、
前記第１通風路から前記第１空間へ流入した空気の温度である第１温度を表す情報と、前記第２通風路から前記第２空間へ流入した空気の温度である第２温度を表す情報と、を取得する温度情報取得部、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部、として機能させる、
消費電力特定プログラム。
【発明の詳細な説明】
【技術分野】
【０００１】
本発明は、消費電力特定装置、消費電力特定システム、及び、消費電力特定プログラムに関する。
【背景技術】
【０００２】
従来から、部屋、廊下、玄関といった第１空間まで延設された第１通風路と、第１空間と異なる第２空間まで延設された第２通風路と、に接続され、第１空間と第２空間との空気を調和できる空気調和機が知られている（例えば、特許文献１参照）。
【先行技術文献】
【特許文献】
【０００３】
【特許文献１】特開２００２−２５７３９９号公報
【発明の概要】
【発明が解決しようとする課題】
【０００４】
特許文献１に開示された全館空調システムで用いられる空気調和機は、第１空間に延びる第１通風路と、第２空間に延びる第２通風路と、に同じ温度の空気を送出する。このため、第１空間の空気を調和するために消費された電力と、第２空間のために消費された電力と、を特定するためには、空気調和機が第１通風路に送出した空気の送出量と、第２通風路に送出した空気の送出量と、を測定すれば良い。しかしながら、空気調和機から異なる空間まで延びる異なる通風路であっても、空気調和機から目的の空間の途中までは、共通のダクトで構成される場合がある。この場合、空気調和機が第１空間に向けて送出した空気の量である第１送出量と、第２空間に向けて送出した空気の量である第２送出量と、を特定できない。また、第１通風路と第２通風路とは、構造が互いに相違するため、第１通風路と第２通風路とに同じ量の空気を送出しても、第１空間と第２空間とで吹き出される空気の量が相違する。このため、第１空間と第２空間とで吹き出される空気の量を計測しただけでは、第１送出量と第２送出量とを特定できない。よって、第１空間の空気を調和するために空気調和機が消費した電力と、第２空間の空気を調和するために空気調和機が消費した電力と、を特定できないという問題があった。
【０００５】
本発明は、上記実情に鑑みてなされたものであり、その目的とするところは、第１空間の空気を調和するために空気調和機が消費した電力と、第２空間の空気を調和するために空気調和機が消費した電力と、を特定できる消費電力特定装置、消費電力特定システム、及び、消費電力特定プログラムを提供することにある。
【課題を解決するための手段】
【０００６】
上記目的を達成するため、本発明に係る消費電力特定装置は、第１空間へ延びる第１通風路と、第１空間と異なる第２空間へ延びる第２通風路と、に対して空気を送出する空気調和機の消費電力を表す情報を取得する電力情報取得部と、第１通風路から第１空間へ流入した空気の量である第１流入量を表す情報と、第２通風路から第２空間へ流入した空気の量である第２流入量を表す情報と、を取得する流入量情報取得部と、第１通風路から第１空間へ流入した空気の温度である第１温度を表す情報と、第２通風路から第２空間へ流入した空気の温度である第２温度を表す情報と、を取得する温度情報取得部と、第１流入量と第１温度とに基づいて、空気調和機が第１通風路へ送出した空気の量である第１送出量を特定し、第２流入量と第２温度とに基づいて、空気調和機が第２通風路へ送出した空気の量である第２送出量を特定する送出量特定部と、第１送出量と第２送出量とに基づいて空気調和機の消費電力を按分することで、第１空間の空気を調和するために空気調和機が消費した電力である第１消費電力と、第２空間の空気を調和するために空気調和機が消費した電力である第２消費電力と、を特定する消費電力特定部と、を備える。
【発明の効果】
【０００７】
本発明に係る消費電力特定装置、消費電力特定システム、及び、消費電力特定プログラムによれば、第１通風路から第１空間に流入した空気の第１温度と第１流入量とに基づいて空気調和機が第１通風路へ送出した空気の第１送出量が特定される。また、第２通風路から第２空間に流入した空気の第２温度と第２流入量とに基づいて第２通風路へ送出された空気の第２送出量が特定される。ここで、第１通風路と第２通風路とには同じ温度の空気が送出される。このため、第１送出量と第２送出量とに基づいて、第１空間の空気を調和するために空気調和機が消費した電力と、第２空間の空気を調和するために空気調和機が消費した電力と、を特定できる。
【図面の簡単な説明】
【０００８】
【図１】本発明の実施の形態１に係る消費電力特定システムの一構成例を表す構成図
【図２】消費電力特定装置に接続される装置を表す図
【図３】消費電力特定装置のハードウェア構成の一例を表す構成図
【図４】消費電力特定装置が実行する消費電力特定処理の一例を表すフローチャート
【図５】実施の形態１に係る消費電力特定装置が有する機能の一例を表す機能ブロック図
【図６】実施の形態１における暖房用の特定関数を表す図
【図７】冷房用の特定関数を表す図
【図８】消費電力特定装置が記憶する消費電力テーブルの一例を表す図
【図９】実施の形態２に係る消費電力特定システムの一構成例を表す構成図
【図１０】消費電力特定装置が実行する出力制御処理の一例を表すフローチャート
【図１１】実施の形態２に係る消費電力特定装置が有する機能の一例を表す機能ブロック図
【図１２】消費電力特定装置が表示する表示画面の一例を表す図
【図１３】課金サーバのハードウェア構成の一例を表す図
【図１４】課金サーバが実行する課金処理の一例を表すフローチャート
【図１５】課金サーバが有する機能の一例を表す機能ブロック図
【図１６】課金サーバが記憶する使用者テーブルの一例を表す図
【図１７】課金サーバが記憶する契約者テーブルの一例を表す図
【図１８】課金サーバが記憶する供給電力量テーブルの一例を表す図
【図１９】課金サーバが記憶する課金テーブルの一例を表す図
【図２０】実施の形態２の変形例１における暖房用の特定関数を表す図
【図２１】実施の形態２の変形例２における暖房用の特定関数を表す図
【発明を実施するための形態】
【０００９】
＜実施の形態１＞
以下、本発明の実施の形態１に係る消費電力特定システム１について、添付図面を参照しつつ説明する。
【００１０】
消費電力特定システム１は、図１に示す建物９に設置されており、居間、寝室、書斎といった第１空間１１ないし第４空間１４の空気を調和する空気調和機２０を備える。また、消費電力特定システム１は、空気調和機２０から延びるダクトである第１通風路２１ないし第４通風路２４、及び、第１通風路２１ないし第４通風路２４の開口である吹出口３１ないし吹出口３４を備える。
【００１１】
さらに、消費電力特定システム１は、空気調和機２０と第１通風路２１との接続部分に設置された温度測定部４０、及び、第１通風路２１ないし第４通風路２４が通る屋根裏７に設置された温度測定部４９を備える。またさらに、消費電力特定システム１は、吹出口３１ないし吹出口３４に設置された第１温度測定部４１ないし第４温度測定部４４、並びに、第１流入量測定部５１ないし第４流入量測定部５４を備える。
【００１２】
また、消費電力特定システム１は、空気調和機２０に流れる電流を測定する電流測定部６０、及び、第１空間１１ないし第４空間１４の空気を調和するために空気調和機２０が消費する電力を特定する消費電力特定装置１００を備える。
【００１３】
空気調和機２０は、中央式空気調和機であり、建物９の屋根裏７に設置され、不図示の室外機に接続されている。空気調和機２０は、空気を加熱又は冷却し、加熱又は冷却された空気を第１通風路２１ないし第４通風路２４を介して第１空間１１ないし第４空間１４へ供給する。
【００１４】
第１通風路２１は、空気調和機２０との接続部分から吹出口３１までに送風機を有し、空気調和機２０から送出された空気を第１空間１１まで導出する。同様に、第２通風路２２ないし第４通風路２４は、空気調和機２０から送出された空気を第２空間１２ないし第４空間１４まで導出する。第１通風路２１ないし第４通風路２４は、総延長、構造、機密性、及び断熱性が互いに異なる。このため、空気調和機２０が同じ量の空気を同じ温度で第１通風路２１ないし第４通風路２４に送出しても、吹出口３１ないし３４から吹き出される空気の温度及び量が相違する。
【００１５】
吹出口３１は、流量調整バルブ３１ａを内蔵しており、流量調整バルブ３１ａは、不図示のリモートコントローラから送信された設定温度を表す信号に従って開度を変更することで、吹出口３１を通過する空気量を制御する。
【００１６】
図１の温度測定部４０は、熱電対式の温度計であり、空気調和機２０から第１空間１１へ向けて送出された空気の温度である基準温度Ｔ０を測定し、測定した基準温度Ｔ０に応じた電圧を出力する。尚、空気調和機２０は、第１空間１１ないし第４空間１４へ同じ温度の空気を送出するため、基準温度Ｔ０は、空気調和機２０から第２空間１２へ向けて送出された空気の温度、第３空間１３へ向けて送出された空気の温度、第４空間１４へ向けて送出された空気の温度でもある。
【００１７】
第１温度測定部４１は、温度測定部４０と同じ構成を有し、吹出口３１から第１空間１１に流入する空気の温度である第１温度Ｔ＿１を測定し、測定した第１温度Ｔ＿１に応じた電圧を出力する。
【００１８】
第２温度測定部４２ないし第４温度測定部４４は、第１温度測定部４１と同じ構成を有する。第２温度測定部４２ないし第４温度測定部４４は、吹出口３２ないし３４から第２空間１２ないし第４空間１４に流入する空気の温度である第２温度Ｔ＿２ないし第４温度Ｔ＿４に応じた電圧を出力する。
【００１９】
温度測定部４９は、温度測定部４０と同じ構成を有し、屋根裏７の温度である外部温度Ｔ９を測定し、測定した温度Ｔ９に応じた電圧を出力する。
【００２０】
第１流入量測定部５１は、超音波式の流量計であり、流量調整バルブ３１ａを通り、吹出口３１から第１空間１１へ流入した空気の量である第１流入量Ｖ＿１に応じた数の電気パルスを出力する。
【００２１】
第２流入量測定部５２ないし第４流入量測定部５４の構成は、第１流入量測定部５１の構成と同じである。第２流入量測定部５２ないし第４流入量測定部５４は、吹出口３２ないし３４から第２空間１２ないし第４空間１４に流入する空気の量である第２流入量Ｖ＿２ないし第４流入量Ｖ＿４に応じた数の電気パルスを出力する。
【００２２】
電流測定部６０は、ホール素子方式の電流計であり、建物９の廊下、脱衣所といった共用空間１５の分電盤６１に設置されている。電流測定部６０は、商用電源から電源ライン６２を介して分電盤６１に供給された電源を、空気調和機２０へ供給する電源ライン６３に接続されている。電流測定部６０は、分電盤６１から空気調和機２０へ流れる電流を測定し、測定値を電圧に変換して出力する。
【００２３】
消費電力特定装置１００は、ＨＥＭＳ（Home Energy Management System）コントローラであり、廊下、玄関といった共用空間１６に設置されている。消費電力特定装置１００は、図２に示すように、空気調和機２０、温度測定部４０及び４９、第１温度測定部４１ないし第４温度測定部４４、第１流入量測定部５１ないし第４流入量測定部５４、及び電流測定部６０に通信線で接続されている。消費電力特定装置１００は、温度測定部４０及び４９並びに第１温度測定部４１ないし第４温度測定部４４が測定した温度を表す情報と、第１流入量測定部５１ないし第４流入量測定部５４が測定した流入量を表す情報と、を取得する。消費電力特定装置１００は、取得した情報に基づいて、第１空間１１ないし第４空間１４の空気を調和するのに空気調和機２０が消費した電力を特定する。
【００２４】
消費電力特定装置１００は、図３に示すように、プログラムを実行するＣＰＵ（Central Processing Unit）１０１、プログラムを保存するＲＯＭ（Read Only Memory）１０２及びハードディスク１０４を備える。また、消費電力特定装置１００は、プログラムの実行時にワークエリアとして使用されるＲＡＭ（Random Access Memory）１０３、プログラムの実行時に、接続された各種装置との間で通信を行う通信回路１０５を備える。さらに、消費電力特定装置１００は、ＣＰＵ１０１から出力された信号に基づいて画像を描画し、描画された画像を表す画像信号を出力するビデオカード１０７と、画像信号に基づいて画像を表示するＬＣＤ（Liquid Crystal Display）１０８と、を備える。また、消費電力特定装置１００は、ユーザの操作に応じた信号を入力する操作ボタン１０９を備える。
【００２５】
消費電力特定装置１００のＣＰＵ１０１は、図４に示す消費電力特定処理を定期的に実行する。ＣＰＵ１０１は、消費電力特定処理を実行することで、図５に示す情報取得部１１０、送出量特定部１２０、及び消費電力特定部１３０として機能する。図３のハードディスク１０４は、図５の情報記憶部１９０として機能する。
【００２６】
情報取得部１１０は、第１空間１１ないし第４空間１４へ流入した空気の温度を表す情報を取得する温度情報取得部１１１、及び、第１空間１１ないし第４空間１４へ流入した空気の流入量を表す情報を取得する流入量情報取得部１１２を備える。また、情報取得部１１０は、空気調和機２０に流れる電流の測定値を表す情報を取得する電流情報取得部１１３、空気調和機２０の消費電力を表す情報を取得する電力情報取得部１１４、及び、空気調和機２０の運転状態を表す情報を取得する運転情報取得部１１５を備える。
【００２７】
温度情報取得部１１１は、温度測定部４０が出力した電圧に基づいて、基準温度Ｔ０を表す基準温度情報を取得する。これと同様に、温度情報取得部１１１は、温度測定部４９が出力した電圧に基づいて、外部温度Ｔ９を表す外部温度情報を取得する。さらに、温度情報取得部１１１は、第１温度測定部４１ないし第４温度測定部４４が出力した電圧に基づいて、第１温度Ｔ＿１を表す第１温度情報ないし第４温度Ｔ＿４を表す第４温度情報を取得する。
【００２８】
流入量情報取得部１１２は、第１流入量測定部５１が出力した電気パルスをカウントすることで、第１流入量Ｖ＿１を表す第１流入量情報を取得する。同様に、流入量情報取得部１１２は、第２流入量測定部５２ないし第４流入量測定部５４が出力した電気パルスに基づいて、第２流入量Ｖ＿２を表す第２流入量情報ないし第４流入量Ｖ＿４を表す第４流入量情報を取得する。
【００２９】
電流情報取得部１１３は、図１の電流測定部６０に接続されている。電流情報取得部１１３は、電流測定部６０が出力した電圧に基づいて、分電盤６１から空気調和機２０へ流れる電流の測定値を表す電流情報を取得する。
【００３０】
電力情報取得部１１４は、ＯＳ（Operating System）から現在日時ｔを取得し、電流情報で表される測定値に対して、空気調和機２０に加えられる電圧を乗算する。この計算により、電力情報取得部１１４は、日時ｔに計測した空気調和機２０の消費電力Ｐｔを表す消費電力情報を取得する。
【００３１】
電力情報取得部１１４が消費電力の計算に用いる電圧は、例えば、１００Ｖ又は２００Ｖであり、消費電力特定装置１００を管理する管理者によって操作された図２の操作ボタン１０９の出力に従って、ＣＰＵ１０１が、図３のハードディスク１０４に保存した値である。
【００３２】
運転情報取得部１１５は、空気調和機２０に接続されており、空気調和機２０に設定された運転種別を表す運転情報を取得する。空気調和機２０の運転種別は、暖房運転又は冷房運転のいずれかであり、空気調和機２０が運転していない場合でも、空気調和機２０の運転種別は、暖房運転又は冷房運転のいずれかに設定されている。
【００３３】
送出量特定部１２０は、運転種別と、第１空間１１に流入した空気の第１温度Ｔ＿１と第１流入量Ｖ＿１とに基づいて、空気調和機２０が第１空間１１へ向けて送出した空気の送出量である第１送出量ｓ＿１を特定する。同様に、送出量特定部１２０は、第２空間１２ないし第４空間１４へ向けて空気調和機２０が送出した空気の量である第２送出量ｓ＿２ないし第４送出量ｓ＿４を特定する。
【００３４】
消費電力特定部１３０は、送出量特定部１２０で特定された第１送出量ｓ＿１と、第２送出量ｓ＿２と、第３送出量ｓ＿３と、第４送出量ｓ＿４と、の比である送出量比を特定する。また、消費電力特定部１３０は、送出量比に基づいて、空気調和機２０の消費電力Ｐｔを第１空間１１ないし第４空間１４に按分する。消費電力特定部１３０は、消費電力Ｐｔの按分により、第１空間１１の空気を調和するために空気調和機２０で消費された電力である第１消費電力Ｐｔ＿１を特定する。同様に、消費電力特定部１３０は、第２空間１２ないし第４空間１４の空気を調和するために消費された第２消費電力Ｐｔ＿２ないし第４消費電力Ｐｔ＿４を特定する。空気調和機２０が同じ温度で第１空間１１ないし第４空間１４へ空気を送出するからである。
【００３５】
情報記憶部１９０は、第１空間１１に流入した空気の第１流入量Ｖ＿１に対する、空気調和機２０が第１空間１１へ向けて送出した第１送出量ｓ＿１の割合を示す割合変数β＿ｈを特定するために用いられる特定関数を記憶している。
【００３６】
この特定関数は、図６に示すように、吹出口３１から吹き出された空気の第１温度Ｔ＿１から、空気調和機２０が送出した空気の温度である基準温度Ｔ０を減算して求めた温度差を第１温度差ΔＴ＿１とし、横軸に表している。また、この特定関数は、吹出口３１から単位時間に第１空間１１へ流入した空気の第１流入量Ｖ＿１に対する、空気調和機２０が単位時間において第１空間１１へ向けて送出した空気の第１送出量Ｖ０＿１の比率を割合変数β＿ｈとして、縦軸に表している。
【００３７】
この特定関数は、空気調和機２０が暖房運転している場合に用いられる。このため、この特定関数は、第１温度差ΔＴ＿１が値「０」以上の場合に、割合変数β＿ｈの値を「１」と定める。これは、第１温度Ｔ＿１が基準温度Ｔ０以上の場合には、吹出口３１から吹き出される空気の全てが、空気調和機２０によって第１空間１１へ向けて送出された空気に起因すると考えられるからである。このように、値「１」の割合変数β＿ｈは、第１流入量Ｖ＿１が第１送出量Ｖ０＿１に等しいことを表すため、等割合変数と称される。
【００３８】
また、暖房用の特定関数は、第１温度差ΔＴ＿１が、外部温度Ｔ９から基準温度Ｔ０を減算した値である−Ｔｈ以下の場合に、割合変数β＿ｈの値を「０」と定める。これは、第１温度Ｔ＿１が外部温度Ｔ９以下の場合には、吹出口３１から吹き出される空気が、空気調和機２０によって第１空間１１へ向けて送出された温風に全く起因していないと考えられるからである。このような状況として、空気調和機２０から第１空間１１への空気の送出が事実上停止している状況が考えられる。このため、値「０」の割合変数β＿ｈは、第１流入量Ｖ＿１に対する第１送出量Ｖ０＿１の値が「０」であり、空気調和機２０から第１空間への空気の送出が停止していることを表すため、停止時割合変数と称される。
【００３９】
さらに、暖房運転用の特定関数は、第１温度差ΔＴ＿１が−Ｔｈから値「０」までの場合に、割合変数β＿ｈの値を、点Ｐｈａ（０，１）と点Ｐｈｂ（−Ｔｈ，０）とを結ぶ線分で補間された値に定め、「０」から「１」までの値とする。つまり、第１温度Ｔ＿１が外部温度Ｔ９よりも高く、かつ、第１温度Ｔ＿１が基準温度Ｔ０よりも低い場合、外部温度Ｔ９と基準温度Ｔ０との温度差Ｔｈと、外部温度Ｔ９と第１温度Ｔ＿１との温度差と、に基づいて、線形補間が行われる。この補間により、値が「０」の停止時割合変数と値が「１」の等割合変数とが補間されて、値「０」から「１」までの割合変数β＿ｈが得られる。
【００４０】
情報記憶部１９０は、暖房用の関数だけではなく、空気調和機２０が冷房運転している場合に、流入量Ｖ＿１に対する送出量ｓ＿１の割合を示す割合変数β＿ｃを特定するために用いられる特定関数も記憶している。
【００４１】
冷房用の特定関数は、図７に示すように、温度差ΔＴ＿１が値「０」以下である場合、割合変数β＿ｃの値を「１」と定め、温度差ΔＴ＿１が、外部温度Ｔ９から基準温度Ｔ０を減算した値である＋Ｔｃ以上の場合に、割合変数β＿ｃの値を「０」と定める。値が「１」である割合変数β＿ｃは、割合変数β＿ｈと同様に、等割合変数と称され、値が「０」である割合変数β＿ｃは、停止時割合変数と称される。
【００４２】
冷房用の特定関数では、温度差ΔＴ＿１が値「０」から＋Ｔｃまでの場合に、割合変数β＿ｃの値を、点Ｐｃａ（０，１）と点Ｐｃｂ（＋Ｔｃ，０）とを結ぶ線分で補間された値と定める。この補間により、値が「０」の停止時割合変数と値が「１」の等割合変数とが補間されて、値「０」から「１」までの割合変数β＿ｃが特定される。
【００４３】
図６の暖房用の特定関数及び図７の冷房用の特定関数は、第１空間１１の場合と同様に、第２空間１２ないし第４空間１４における第２流入量Ｖ＿２ないし第４流入量Ｖ＿４に対する、第２送出量ｓ＿２ないし第４送出量ｓ＿４の割合を特定するために用いられる。
【００４４】
情報記憶部１９０は、第１流入量Ｖ＿１ないし第４流入量Ｖ＿４を使って特定された第１消費電力Ｐｔ＿１ないし第４消費電力Ｐｔ＿４が保存される、図８の消費電力テーブルを記憶している。消費電力テーブルには、空気調和機２０の消費電力Ｐｔの測定日時を表す情報と、空気調和機２０により空気を調和する空間を識別する番号と、当該空間の空気を調和するために消費された消費電力を表す情報と、が対応付けられて保存される。
【００４５】
ここで、図４に戻り、上述の各機能部を実現する消費電力特定処理について説明を開始する。消費電力特定処理が開始されると、図５の情報取得部１１０は、温度情報取得部１１１、流入量情報取得部１１２、電流情報取得部１１３、電力情報取得部１１４、及び運転情報取得部１１５を用いて、情報取得処理を実行する（図４のステップＳ０１）。
【００４６】
情報取得処理の実行が開始されると、温度情報取得部１１１は、空気調和機２０と第１通風路２１との接続部分に設置された温度測定部４０から出力された電圧に基づいて、基準温度情報を取得する。次に、温度情報取得部１１１は、第１空間１１ないし第４空間１４の吹出口３１ないし３４に設置された第１温度測定部４１ないし第４温度測定部４４から出力された電圧に基づいて、第１温度情報ないし第４温度情報を取得する。その後、温度情報取得部１１１は、屋根裏７に設置された温度測定部４９から出力された電圧に基づいて、外部温度情報を取得する。
【００４７】
次に、流入量情報取得部１１２は、吹出口３１ないし３４に設置された第１流入量測定部５１ないし第４流入量測定部５４から出力された電気パルスに基づいて、第１流入量情報ないし第４流入量情報を取得する。
【００４８】
その後、電流情報取得部１１３は、電流測定部６０から出力された電圧に基づいて空気調和機２０に流れた電流の測定値を表す電流情報を取得する。次に、電力情報取得部１１４は、電流情報と、空気調和機２０に印加される電圧と、に基づいて空気調和機２０の消費電力Ｐｔを表す電力情報を取得する。
【００４９】
その後、運転情報取得部１１５は、空気調和機２０から運転種別を表す運転情報を取得した後に、情報取得処理の実行を終了する。
【００５０】
情報取得処理の実行が終了すると、送出量特定部１２０は、第１温度情報で表される第１温度Ｔ＿１に対して、以下の式（１）を用いて、第１温度差ΔＴ＿１を算出する。第１温度差ΔＴ＿１は、空気調和機２０から第１通風路２１に送出された空気の温度Ｔ０よりも、第１通風路２１を通過して吹出口３１から吹き出された空気の第１温度Ｔ＿１が、どれぐらい高い温度かを表す温度である。
【００５１】
第ｉ温度差ΔＴ＿ｉ＝第ｉ温度Ｔ＿ｉ−基準温度Ｔ０・・・（１）
但し、ｉ＝１，２，３，４
【００５２】
次に、送出量特定部１２０は、第１温度差ΔＴ＿１と同様に、第２温度Ｔ＿２ないし第４温度Ｔ＿４に対して第２温度差ΔＴ＿２ないし第４温度差ΔＴ＿４を算出する（ステップＳ０２）。
【００５３】
その後、送出量特定部１２０は、ステップＳ０１で得られた運転情報に基づいて、空気調和機２０の運転種別が暖房運転に設定されているか否かを判別する（ステップＳ０３）。
【００５４】
ステップＳ０３で、送出量特定部１２０は、暖房運転に設定されていると判別すると（ステップＳ０３；Ｙｅｓ）、図６に示す暖房用の特定関数を情報記憶部１９０から読み出す。次に、送出量特定部１２０は、第１空間１１の第１温度差ΔＴ＿１を暖房用の特定関数に用いて、第１空間１１の第１流入量Ｖ＿１に対する第１送出量ｓ＿１の割合を示す割合変数β＿ｈを特定し、第１割合変数β＿ｈ＿１とする。同様に、送出量特定部１２０は、第２温度差ΔＴ＿２ないし第４温度差ΔＴ＿４を暖房用の特定関数に用いて、第２割合変数β＿ｈ＿２ないし第４割合変数β＿ｈ＿４を特定する（ステップＳ０４）。
【００５５】
その後、送出量特定部１２０は、第１空間１１の第１流入量Ｖ＿１を、以下の式（２）を用いることで、第１空間１１への第１送出量ｓ＿１を特定する。同様に、送出量特定部１２０は、第２割合変数β＿ｈ＿２ないし第４割合変数β＿ｈ＿４と第２流入量Ｖ＿２ないし第４流入量Ｖ＿４とから第２送出量ｓ＿２ないし第４送出量ｓ＿４を特定する（ステップＳ０５）。
【００５６】
第ｉ送出量ｓ＿ｉ＝第ｉ割合変数β＿ｈ＿ｉ×第ｉ流入量Ｖ＿ｉ・・・（２）
但し、ｉ＝１，２，３，４
【００５７】
その後、消費電力特定部１３０は、以下の式（３）を用いて、第１送出量ｓ＿１ないし第４送出量ｓ＿４の総和を算出することで、空気調和機２０が送出した空気の総量である総送出量Ｓを特定する（ステップＳ０６）。
【００５８】
総送出量Ｓ＝第１送出量ｓ＿１＋第２送出量ｓ＿２＋第３送出量ｓ＿３＋第４送出量ｓ＿４・・・（３）
【００５９】
次に、消費電力特定部１３０は、以下の式（４）を用いて、第１送出量ｓ＿１が総送出量Ｓに占める割合である第１送出量割合Ｒ＿１を特定する。
【００６０】
第ｉ送出量割合Ｒ＿ｉ＝第ｉ送出量ｓ＿ｉ／総送出量Ｓ・・・（４）
但し、ｉ＝１，２，３，４
【００６１】
その後、消費電力特定部１３０は、第１送出量割合Ｒ＿１を、以下の式（５）に用いて、空気調和機２０の消費電力Ｐｔを按分する。この按分により、消費電力特定部１３０は、第１空間１１の空気を調和するために空気調和機２０で消費された第１消費電力Ｐｔ＿１を特定する。空気調和機２０が同じ温度の空気を第１空間１１ないし第４空間１４へ送出するため、第１空間１１ないし第４空間１４へ送出した空気の送出量の比が、第１空間１１ないし第４空間１４で空気を調和するために空気調和機２０が消費した電力の比に等しいためである。
【００６２】
第ｉ消費電力Ｐｔ＿ｉ＝空気調和機２０の消費電力Ｐｔ×第ｉ送出量割合Ｒ＿ｉ・・・（５）
但し、ｉ＝１，２，３，４
【００６３】
次に、消費電力特定部１３０は、同様に、第２送出量ｓ＿２ないし第４送出量ｓ＿４に対して第２送出量割合Ｒ＿２ないし第４送出量割合Ｒ＿４を特定した後に、第２消費電力Ｐｔ＿２ないし第４消費電力Ｐｔ＿４を特定する（ステップＳ０７）。
【００６４】
ステップＳ０３で、送出量特定部１２０は、暖房運転に設定されておらず、冷房運転に設定されていると判別すると（ステップＳ０３；Ｎｏ）、図７に示す冷房用の特定関数を情報記憶部１９０から読み出す。次に、送出量特定部１２０は、冷房用の特定関数と、第１温度差ΔＴ＿１と、を用いて割合変数β＿ｈを特定し、第１流入量Ｖ＿１に対する第１送出量ｓ＿１の割合を示す第１割合変数β＿ｃ＿１とする。同様に、送出量特定部１２０は、冷房用の特定関数と、第２温度差ΔＴ＿２ないし第４温度差ΔＴ＿４と、を用いて、第２割合変数β＿ｃ＿２ないし第４割合変数β＿ｃ＿４を特定する（ステップＳ０８）。
【００６５】
その後、送出量特定部１２０は、第１流入量Ｖ＿１を、以下の式（６）を用いることで第１送出量ｓ＿１を特定する。同様に、送出量特定部１２０は、第２割合変数β＿ｃ＿２ないし第４割合変数β＿ｃ＿４と、第２流入量Ｖ＿２ないし第４流入量Ｖ＿４と、を用いて、第２送出量ｓ＿２ないし第４送出量ｓ＿４を特定する（ステップＳ０９）。
【００６６】
第ｉ送出量ｓ＿ｉ＝第ｉ割合変数β＿ｃ＿ｉ×第ｉ流入量Ｖ＿ｉ・・・（６）
但し、ｉ＝１，２，３，４
【００６７】
その後、上述したステップＳ０６からＳ０７の処理が実行されて、第１空間１１ないし第４空間１４のために空気調和機２０が消費した第１消費電力Ｐｔ＿１ないし第４消費電力Ｐｔ＿４が特定される。
【００６８】
次に、ステップＳ０７又はＳ０９の処理が終了すると、消費電力特定部１３０は、空気調和機２０の消費電力を測定した日時ｔと、空間を識別する番号ｉと、当該空間のために空気調和機２０が消費した消費電力Ｐｔ＿ｉと、を対応付けて、図８の消費電力テーブルに保存する情報保存処理を行う（ステップＳ１０）。その後、消費電力特定部１３０は、消費電力特定処理の実行を終了する。
【００６９】
ここで、空気調和機２０が暖房運転によって第１空間１１の空気をより高い温度に調整する場合、第１空間１１へ送出された空気の第１送出量ｓ＿１が多い程、第１空間１１へ流入する空気の第１温度Ｔ＿１が高くなる。逆に、空気調和機２０が冷房運転によって第１空間１１の空気をより低い温度に調整する場合、第１送出量ｓ＿１が多い程、第１温度Ｔ＿１が低くなる。このように、第１温度Ｔ＿１の高低は、第１送出量ｓ＿１の多少と密接に関連している。同様に、第２温度Ｔ＿２ないし第４温度Ｔ＿４の高低は、第２送出量ｓ＿２ないし第４送出量ｓ＿４の多少と密接に関連している。
【００７０】
このため、これらの構成によれば、消費電力特定装置１００は、第１流入量Ｖ＿１と第１温度Ｔ＿１とに基づいて第１送出量ｓ＿１を特定できる。同様に、消費電力特定装置１００は、第２流入量Ｖ＿２ないし第４流入量Ｖ＿４と、第２温度Ｔ＿２ないし第４温度Ｔ＿４と、に基づいて第２送出量ｓ＿２ないし第４送出量ｓ＿４を特定できる。
【００７１】
空気調和機２０は、同じ温度の空気を第１通風路２１ないし第４通風路２４に送出する。このため、第１空間１１ないし第４空間１４の空気を調和するために空気調和機２０で消費された第１消費電力Ｐｔ＿１ないし第４消費電力Ｐｔ＿４の比は、第１送出量ｓ＿１ないし第４送出量ｓ＿４の比に等しい。よって、これらの構成によれば、消費電力特定装置１００は、第１送出量ｓ＿１ないし第４送出量ｓ＿４の比に基づいて、空気調和機２０の消費電力Ｐｔを按分するため、第１消費電力Ｐｔ＿１ないし第４消費電力Ｐｔ＿４を特定できる。
【００７２】
空気調和機２０が暖房運転する場合、第１通風路２１に送出された基準温度Ｔ０の空気がより多く第１空間１１へ流入するようになると、第１空間１１へ流入した空気の第１温度Ｔ１が基準温度Ｔ０により近くなる。このため、第１温度Ｔ１と基準温度Ｔ０との温度差である第１温度差ΔＴ＿１が小さい程、第１流入量Ｖ＿１は第１送出量ｓ＿１に近いと考えられる。同様に、第２温度差ΔＴ＿２ないし第４温度差ΔＴ＿４が基準温度Ｔ０に近いほど、第２流入量Ｖ＿２ないし第４流入量Ｖ＿４は、第１送出量ｓ＿１の量ないし第４送出量ｓ＿４に近いと考えられる。このため、これらの構成によれば、消費電力特定装置１００は、第１温度差ΔＴ＿１と第１流入量Ｖ＿１とに基づいて第１送出量ｓ＿１を特定できる。同様に、消費電力特定装置１００は、第２温度差ΔＴ＿２ないし第４温度差ΔＴ＿４に基づいて第２送出量ｓ＿２ないし第４送出量ｓ＿４を特定できる。
【００７３】
空気調和機２０が暖房運転する場合、第１温度Ｔ１が基準温度Ｔ０以上であれば、送出された空気の全てが第１空間１１へ流入していると考えられる。このため、これらの構成によれば、消費電力特定装置１００は、暖房運転時に第１温度Ｔ１が基準温度Ｔ０以上であれば、第１流入量Ｖ＿１が第１送出量ｓ＿１と等しい量であることを表す等割合変数「１」を用いて第１送出量ｓ＿１を精度良く特定できる。同様に、消費電力特定装置１００は、等割合変数を用いて第２送出量ｓ＿２ないし第４送出量ｓ＿４を精度良く特定できる。
【００７４】
空気調和機２０が暖房運転する場合、第１温度Ｔ１が外部温度Ｔ９以下であれば、第１空間１１に対する空気の送出が実質的に停止していると考えられる。このため、これらの構成によれば、消費電力特定装置１００は、暖房運転時に第１温度Ｔ１が外部温度Ｔ９以下であれば、第１通風路２１への空気の送出が停止されていることを表す停止時割合変数「０」を用いて、第１送出量ｓ＿１が値「０」であると精度良く特定できる。同様に、消費電力特定装置１００は、停止時割合変数「０」を用いて、第２送出量ｓ＿２ないし第４送出量ｓ＿４が値「０」であると精度良く特定できる。
【００７５】
空気調和機２０が暖房運転する場合、第１温度Ｔ１が外部温度Ｔ９よりも高く、かつ、第１温度Ｔ１が基準温度Ｔ０よりも低くければ、第１空間１１から流入した空気の内、一部のみが第１通風路２１に送出された空気に起因していると考えられる。このため、これらの構成によれば、消費電力特定装置１００は、第１温度が外部温度よりも高く、かつ、基準温度よりも低い場合、停止時割合変数「０」と等割合変数「１」とを補間した変数を用いて第１送出量ｓ＿１を精度良く特定できる。同様に、消費電力特定装置１００は、補間した変数を用いて第２送出量ｓ＿２ないし第４送出量ｓ＿４を精度良く特定できる。
【００７６】
空気調和機２０が冷房運転する場合、第１温度Ｔ１が基準温度Ｔ０以下であれば、送出された空気の全てが第１空間１１へ流入していると考えられる。このため、これらの構成によれば、消費電力特定装置１００は、冷房運転時に第１温度Ｔ１が基準温度Ｔ０以下であれば、等割合変数「１」を用いて第１送出量ｓ＿１を精度良く特定できる。同様に、消費電力特定装置１００は、等割合変数を用いて第２送出量ｓ＿２ないし第４送出量ｓ＿４を精度良く特定できる。
【００７７】
空気調和機２０が冷房運転する場合、第１温度Ｔ１が外部温度Ｔ９以上であれば、第１通風路２１に対する空気の送出が実質的に停止していると考えられる。このため、これらの構成によれば、消費電力特定装置１００は、暖房運転時に第１温度Ｔ１が外部温度Ｔ９以上であれば、停止時割合変数「０」を用いて第１送出量ｓ＿１が値「０」であると精度良く特定できる。同様に、消費電力特定装置１００は、停止時割合変数「０」を用いて、第２送出量ｓ＿２ないし第４送出量ｓ＿４が値「０」であると精度良く特定できる。
【００７８】
空気調和機２０が冷房運転する場合、第１温度Ｔ１が外部温度Ｔ９よりも低く、かつ、第１温度Ｔ１が基準温度Ｔ０よりも高ければ、第１空間１１から流入した空気の一部のみが第１空間１１に送出された空気に起因していると考えられる。このため、これらの構成によれば、消費電力特定装置１００は、第１温度が外部温度よりも低く、かつ、基準温度よりも高い場合、停止時割合変数「０」と等割合変数「１」とを補間した変数を用いて第１送出量ｓ＿１を精度良く特定できる。同様に、消費電力特定装置１００は、補間した変数を用いて第２送出量ｓ＿２ないし第４送出量ｓ＿４を精度良く特定できる。
【００７９】
＜実施の形態２＞
実施の形態１において、消費電力特定システム１は、空気調和機２０の消費電力を、第１空間１１ないし第４空間１４の空気を調和するために空気調和機２０が消費した電力である第１消費電力Ｐｔ＿１ないし第４消費電力Ｐｔ＿４に按分するとして説明した。実施の形態２では、消費電力特定システム１は、第１消費電力Ｐｔ＿１ないし第４消費電力Ｐｔ＿４に基づいて電力量の使用料金を、第１空間１１ないし第４空間１４を使用する使用者に課金する。
【００８０】
実施の形態２において、図９に示す消費電力特定システム１は、図１を参照して説明した実施の形態１に係る消費電力特定システム１と同様の構成を有する。また、消費電力特定システム１は、商用電源に接続された分電盤６５、商用電源により供給された電力量を表す情報が保存されている供給電力管理サーバ９０、及び、電力を使用したユーザに課金を行う課金サーバ２００を、さらに備える。
【００８１】
実施の形態２の消費電力特定装置１００のＣＰＵ１０１は、図１０に示す出力制御処理を定期的に実行する。ＣＰＵ１０１は、出力制御処理を実行することで、実施の形態１で図５を参照して説明した情報取得部１１０、送出量特定部１２０、及び消費電力特定部１３０として機能する。さらに、ＣＰＵ１０１は、図１１に示すような、空気調和機２０の消費電力量を特定する消費電力量特定部１６０、及び、消費電力特定装置１００の情報出力部１８０の動作を制御する出力制御部１７０として機能する。
【００８２】
図３の通信回路１０５は、情報通信を行う情報通信部１８２として機能し、情報出力部１８０を構成する。ＬＣＤ１０８は、情報表示を行う情報表示部１８１として機能し、情報出力部１８０を構成する。図３のハードディスク１０４は、実施の形態１と同様に、情報記憶部１９０として機能する。
【００８３】
消費電力量特定部１６０は、消費電力特定部１３０で特定された第１消費電力Ｐｔ＿１に基づいて、第１空間１１の空気を調和するために空気調和機２０が消費した消費電力量である第１消費電力量Ｐｄ＿１を特定する。同様に、消費電力量特定部１６０は、第２消費電力Ｐｔ＿２ないし第４消費電力Ｐｔ＿４に基づいて、第２空間１２ないし第４空間１４の空気を調和するために空気調和機２０が消費した第２消費電力量Ｐｄ＿２ないし第４消費電力量Ｐｄ＿４を特定する。
【００８４】
出力制御部１７０は、第１消費電力量Ｐｄ＿１表す第１消費電力量情報ないし第４消費電力量Ｐｄ＿４を表す第４消費電力量情報を、情報表示部１８１と情報通信部１８２とに出力させる。
【００８５】
情報表示部１８１は、図１２に示す表示画面を表示し、第１消費電力量情報ないし第４消費電力量情報を、グラフ、文字、及び数字のいずれか１つ以上で表示する。
【００８６】
このため、電力特定装置１００の使用者は、第１消費電力量Ｐｄ＿１ないし第４消費電力量Ｐｄ＿４を視覚的に容易に確認できる。また、電力特定装置１００の使用者は、第１消費電力量Ｐｄ＿１ないし第４消費電力量Ｐｄ＿４の確認結果に基づいて、空気調和機２０が正常に動作しているか否かを容易に確認できる。さらに、電力特定装置１００の使用者は、電力供給元から料金を請求される前であっても、第１消費電力量Ｐｄ＿１ないし第４消費電力量Ｐｄ＿４に基づいて請求される料金を容易に計算又は推測できる。
【００８７】
情報通信部１８２は、第１消費電力量情報ないし第４消費電力量情報を課金サーバ２００へ送信する。
【００８８】
図１０の出力制御処理が開始されると、図４を参照して既に説明した消費電力特定処理が実行される（ステップＳ２１）。消費電力特定処理では、消費電力の測定日時ｔと、第１空間１１の第１消費電力Ｐｔ＿１ないし第４空間１４の第４消費電力Ｐｔ＿４と、が対応付けられて、図８の消費電力テーブルに保存される。
【００８９】
消費電力量特定部１６０は、ＯＳから現在日時を取得し、今月の１日以降の日時と対応付けられた第１消費電力情報を、消費電力テーブルから検索する。次に、消費電力量特定部１６０は、検索された第１消費電力情報で表される消費電力Ｐｔ＿１に測定時間間隔を乗算し、乗算後の値の総和を算出する。この計算により、消費電力量特定部１６０は、空気調和機２０が第１空間１１の空気を調和するために、今月に消費した消費電力量である第１消費電力量Ｐｄ＿１を特定する。同様に、消費電力量特定部１６０は、第２空間１２ないし第４空間１４について、第２消費電力量Ｐｄ＿２ないし第４消費電力量Ｐｄ＿４を特定する（ステップＳ２２）。
【００９０】
その後、出力制御部１７０は、情報表示部１８１を制御して、第１消費電力量Ｐｄ＿１ないし第４消費電力量Ｐｄ＿４を、図１２の表示画面に表示させる表示制御処理を行う（ステップＳ２３）。
【００９１】
次に、出力制御部１７０は、情報記憶部１９０から第１消費電力量情報ないし第４消費電力量情報を送信する予定の日時を表す情報を取得する（ステップＳ２４）。予定の日時を表す情報は、出力制御処理が一度も実行されていない場合、当該情報が表すことのできる最小値に設定されている。
【００９２】
次に、出力制御部１７０は、ＯＳから取得した現在の日時が、予定日時よりも後であるか否かに基づいて、予定日時が到来したか否かを判別する（ステップＳ２５）。
【００９３】
ステップＳ２５において、出力制御部１７０は、予定日時が到来していないと判別すると（ステップＳ２５；Ｎｏ）、出力制御処理の実行を終了する。
【００９４】
ステップＳ２５において、出力制御部１７０は、予定日時が到来したと判別すると（ステップＳ２５；Ｙｅｓ）、情報通信部１８２に、第１消費電力量情報ないし第４消費電力量情報を課金サーバ２００へ送信させる送信制御処理を実行する（ステップＳ２６）。
【００９５】
その後、出力制御部１７０は、情報記憶部１９０に保存されている予定日時を表す情報を、例えば、現在日時から１か月後の日時を表す情報に更新した後に（ステップＳ２７）、出力制御処理の実行を終了する。
【００９６】
これらの構成によれば、消費電力量特定部１６０で特定された第１消費電力量を表す情報と、第２消費電力量を表す情報と、を出力できるため、出力された第１消費電力量と第２消費電力量とをユーザが容易に確認できる。
【００９７】
図９に戻り、実施の形態２に係る消費電力特定システム１について引き続き説明する。分電盤６５は、商用電源に接続された電源ライン６６に接続されている。分電盤６５は、分電盤６１と異なり、空気調和機２０に電力を供給する電源ライン６３には接続されておらず、第２空間１２に設置されたテレビ、照明といった設備機器に電力を供給する電源ライン６７に接続されている。
【００９８】
通信網８０は、例えば、インターネットである。通信網８０は、ＬＡＮ（Local Area Network）又は公衆回線網であっても良い。
【００９９】
供給電力管理サーバ９０は、サーバ機であり、通信網８０に接続されている。供給電力管理サーバ９０は、不図示のＣＰＵ、ＲＯＭ、ＲＡＭ、ハードディスク、及び通信回路を備えている。供給電力管理サーバ９０は、ＲＯＭ又はハードディスクに保存されたソフトウェアをＣＰＵがＲＡＭを使用しながら実行する。供給電力管理サーバ９０のＣＰＵは、分電盤６１を介して供給された電力量である供給電力量Ｐ＿ｄ＿６１を表す情報を、課金サーバ２００へ宛てて通信回路に送信させる。同様に、供給電力管理サーバ９０のＣＰＵは、分電盤６５の供給電力量Ｐ＿ｄ＿６５を表す情報を通信回路に送信させる。
【０１００】
課金サーバ２００は、サーバ機であり、通信網８０に接続されている。課金サーバ２００は、商用電源を供給する電力会社によって管理されている。
【０１０１】
課金サーバ２００は、図１３に示すＣＰＵ２０１、ＲＯＭ２０２、ＲＡＭ２０３、ハードディスク２０４、ＬＡＮカード２０６、ビデオカード２０７、ＬＣＤ２０８、及びキーボード２０９を備える。
【０１０２】
ＣＰＵ２０１、ＲＯＭ２０２、ＲＡＭ２０３、ハードディスク２０４、ビデオカード２０７、及びＬＣＤ２０８は、図３を参照して説明したＣＰＵ１０１、ＲＯＭ１０２、ＲＡＭ１０３、ハードディスク１０４、ビデオカード１０７、及びＬＣＤ１０８と同様の構成及び機能を有する。
【０１０３】
ＬＡＮカード２０６は、通信網８０を介して接続する消費電力特定装置１００及び供給電力管理サーバ９０との間でデータを有線又は無線で送受信する。キーボード２０９は、ユーザの操作に応じた信号を入力する。
【０１０４】
ＣＰＵ２０１は、図１４に示す課金処理を実行することで、分電盤６１又は６５を介して供給された電力量を表す情報を取得する、図１５の供給電力量取得部２１０として機能する。また、ＣＰＵ２０１は、第１空間１１ないし第４空間１４で空気を調和するために消費された電力量を表す第１消費電力量情報ないし第４消費電力量情報を取得する消費電力量取得部２２０として機能する。さらに、ＣＰＵ２０１は、第１空間１１ないし第４空間１４の使用者に請求する料金を計算する料金計算部２３０、及び、計算された料金を課金する課金部２４０として機能する。図１３のハードディスク２０４は、図１５の情報記憶部２９０として機能する。
【０１０５】
分電盤６１又は６５を介して電力の供給を受ける契約を結んだ契約者は、第１空間１１ないし第４空間１４を使用している。このため、情報記憶部２９０は、空間を識別する番号を表す情報と、当該空間の使用者の名前を表す情報と、が対応付けられて保存されている、図１６の使用者テーブルを記憶している。
【０１０６】
また、情報記憶部２９０は、図１７に示す契約者テーブルを記憶している。契約者テーブルには、分電盤を識別する番号を表す情報と、分電盤から供給される電力の支払い契約者を識別する情報と、支払い用のクレジットカードの番号と、当該分電盤から空気調和機２０に電力が供給されているか否かを表す情報と、が対応付けられて保存されている。
【０１０７】
さらに、情報記憶部２９０は、分電盤の番号を表す情報と、当該分電盤を介して供給された電力量を表す情報と、が対応付けられて保存される、図１８の供給電力量テーブルを記憶している。
【０１０８】
またさらに、情報記憶部２９０は、図１９に示す課金テーブルを記憶している。課金テーブルには、分電盤の番号を表す情報と、当該分電盤に関する契約者を表す情報と、当該契約者が使用した電力量を表す情報と、当該電力量に基づく料金を表す情報と、が対応付けられて保存される。
【０１０９】
図１４の課金処理の実行が開始されると、供給電力量取得部２１０は、分電盤６１を介して供給された供給電力量Ｐ＿ｄ＿６１を表す情報と、分電盤６５の供給電力量Ｐ＿ｄ＿６５を表す情報と、を取得する（ステップＳ４１）。
【０１１０】
その後、供給電力量取得部２１０は、分電盤６１の番号と供給電力量Ｐ＿ｄ＿６１を表す情報とを対応付けて、図１８の供給電力量テーブルに保存する。また、供給電力量取得部２１０は、分電盤６５の番号と供給電力量Ｐ＿ｄ＿６５を表す情報とを対応付けて、供給電力量テーブルに保存する。
【０１１１】
ここで、分電盤６１から空気調和機２０が電力の供給を受けるため、分電盤６１の供給電力量Ｐ＿ｄ＿６１には、分電盤６１から電力の供給を受ける契約を結んでいない者が使用する空間の空気を調和するために空気調和機２０が消費した電力量も含まれている。
【０１１２】
このため、以下の処理では、分電盤６１の供給電力量Ｐ＿ｄ＿６１から、分電盤６１に関する契約を結んでいない者のために消費された電力量を控除する。
【０１１３】
ステップＳ４１で、供給電力量Ｐ＿ｄ＿６１を表す情報が取得された後、料金計算部２３０は、図１７の契約者テーブルから、空気調和機２０が接続されていることを表す情報に対応付けられた情報を検索する。検索の結果、料金計算部２３０は、分電盤の番号「61」を表す情報と、分電盤６１に関する契約者の名前「鈴木」を表す情報と、を取得する（ステップＳ４２）。
【０１１４】
次に、料金計算部２３０は、図１６の使用者テーブルから、「鈴木」を表す情報と対応付けられていない情報を検索することで、「田中」が使用する第２空間１２の番号「2」を表す情報と第３空間１３の番号「3」を表す情報とを取得する（ステップＳ４３）。
【０１１５】
その後、消費電力量取得部２２０は、第１空間１１ないし第４空間１４のために消費された電力量を表す第１消費電力量情報ないし第４消費電力量情報を取得する（ステップＳ４４）。
【０１１６】
次に、料金計算部２３０は、第２消費電力量情報と第３消費電力量情報とを以下の式（７）に用いて、「鈴木」が使用した電力量である使用電力量Ｐ＿ｔ＿６１を算出する。分電盤６１に関する契約を結んでいない「田中」が使用する第２空間１２と第３空間１３のために空気調和機２０が消費した第２消費電力量Ｐｄ＿２と第３消費電力量Ｐｄ＿３とを、「鈴木」が契約者である分電盤６１の供給電力量Ｐ＿ｄ＿６１から控除するためである。
【０１１７】
「鈴木」の使用電力量Ｐ＿ｔ＿６１＝供給電力量Ｐ＿ｄ＿６１−（第２消費電力量Ｐｄ＿２＋第３消費電力量Ｐｄ＿３）・・・（７）
【０１１８】
また、料金計算部２３０は、以下の式（８）を用いて、「田中」が使用した電力量である使用電力量Ｐ＿ｔ＿６５を算出する。「田中」が契約者である分電盤６５の供給電力量Ｐ＿ｄ＿６５に、田中が使用する第２空間１２と第３空間１３のために消費された第２電力量Ｐｄ＿２と第３電力量Ｐｄ＿３と、を、加算するためである。
【０１１９】
「田中」の使用電力量Ｐ＿ｔ＿６５＝供給電力量Ｐ＿ｄ＿６５＋（第２消費電力量Ｐｄ＿２＋第３消費電力量Ｐｄ＿３）・・・（８）
【０１２０】
その後、料金計算部２３０は、「鈴木」の使用電力量Ｐ＿ｔ＿６１に基づいて「鈴木」に課金する料金Ｍ６１を算出し、「田中」の使用電力量Ｐ＿ｔ＿６５に基づいて「田中」に課金する料金Ｍ６５を算出する（ステップＳ４５）。
【０１２１】
次に、料金計算部２３０は、分電盤６１の番号「61」を表す情報と、分電盤６１の契約者の名前「鈴木」を表す情報と、「鈴木」の使用電力量Ｐ＿ｔ＿６１を表す情報と、「鈴木」の料金Ｍ６１を表す情報と、を対応付けて、図１９の課金テーブルに保存する。その後、料金計算部２３０は、分電盤６５の番号「65」を表す情報と、「田中」を表す情報と、使用電力量Ｐ＿ｔ＿６５を表す情報と、料金Ｍ６５を表す情報と、を対応付けて、図１９の課金テーブルに保存する。
【０１２２】
次に、課金部２４０は、図１７に示す契約者テーブルから、「鈴木」を表す情報に対応付けられたクレジットカードの番号を表す情報を取得し、クレジットカードの番号を用いて、「鈴木」に料金Ｍ６１を課金する。同様に、課金部２４０は、「田中」に料金Ｍ６５を課金する（ステップＳ４６）。その後、課金部２４０は、課金処理の実行を終了する。
【０１２３】
これらの構成によれば、課金サーバ２００は、空気調和機２０が接続された分電盤６１を介して供給された供給電力量から第２消費電力量Ｐｄ＿２及び第３消費電力量Ｐｄ＿３を控除した電力量に基づいて料金を計算し、料金を課金する。ここで、第２消費電力量Ｐｄ＿２及び第３消費電力量Ｐｄ＿３は、分電盤６１の供給電力量に対して支払契約を結んだ契約者「鈴木」と異なる「田中」によって使用される第２空間１２及び第３空間１３の空気を調和するために消費された消費電力量である。このため、課金サーバ２００は、分電盤６１に関する契約者のために消費された消費電力量を正確に計算し、計算された消費電力量に基づいて料金を公平に課金できる。
【０１２４】
＜実施の形態２の変形例１＞
実施の形態２に係る消費電力特定装置１００では、図６に示すような暖房用の特定関数を用いて、割合変数β＿ｈを特定した。しかし、暖房用の特定関数は、図６の特定関数に限定されるのではなく、以下の条件１から３の全てを満足する特定関数ｆ（ΔＴ＿ｉ）であれば、どのような特定関数であっても良い。
【０１２５】
条件１：特定関数ｆ（ΔＴ＿ｉ）の値が、値「０」以上又は「０」より大きく、かつ、値「１」以下又は「１」より小さい。
条件２：特定関数ｆ（ΔＴ＿ｉ）の値が、ΔＴ＿ｉについて単調増加する。
条件３：ΔＴ＿ｉの値がマイナスの無限大に近づくと、特定関数ｆ（ΔＴ＿ｉ）の値が値「０」に近づく又はある温度以下で「０」となり、かつ、プラスの無限大に近づくと、特定関数ｆ（ΔＴ＿ｉ）の値が値「１」に近づく又はある温度以上で「１」となる。
【０１２６】
本変形例に係る消費電力特定装置１００は、実施の形態２に係る消費電力特定装置１００と同じ構成及び機能を有している。しかし、本変形例に係る消費電力特定装置１００は、割合変数β＿ｈを特定する暖房用の特定関数として、以下の式（９）及び図２０に示すシグモイド関数ｆ（ΔＴ＿ｉ）を用いる点で、実施の形態２に係る消費電力特定装置１００と異なる。
【０１２７】
特定関数ｆ（ΔＴ＿ｉ）＝１／（１＋ｅ−ａｈ１（ΔＴ＿ｉ＋ｂｈ））・・・（９）
【０１２８】
変数ａｈ１及びｂｈの値は、当業者が実験又は理論に基づいて定めることができる。変数ａｈ１及びｂｈの値は、第ｉ温度差ΔＴ＿ｉが値「０」以上の場合に、特定関数ｆ（ΔＴ＿ｉ）の値が「１」に十分に近くなる値に定められるのが望ましい。第ｉ温度差ΔＴ＿ｉが値「０」以上の場合は、第ｉ温度Ｔ＿ｉが基準温度Ｔ０以上であり、吹出口３１から吹き出される空気の殆ど全てが、空気調和機２０によって第ｉ空間へ向けて送出された空気に起因すると考えられるからである。
【０１２９】
また、変数ａｈ１及びｂｈの値は、第ｉ温度差ΔＴ＿ｉが外部温度Ｔ９から基準温度Ｔ０を減算した値である−Ｔｈ以下の場合に、特定関数ｆ（ΔＴ＿ｉ）の値が「０」に十分に近くなる値に定められるのが望ましい。第ｉ温度差ΔＴ＿ｉが−Ｔｈ以下の場合は、第ｉ温度Ｔ＿ｉが外部温度Ｔ９以下であり、吹出口３１から吹き出される空気の殆ど全てが、空気調和機２０によって第ｉ空間へ向けて送出された空気に起因しないと考えられるからである。
【０１３０】
また、本変形例に係る消費電力特定装置１００は、割合変数β＿ｃを特定する冷房用の特定関数として、以下の式（１０）に示すシグモイド関数ｆ（ΔＴ＿ｉ）を用いる点で、実施の形態２に係る消費電力特定装置１００と異なる。
【０１３１】
特定関数ｆ（ΔＴ＿ｉ）＝１／（１＋ｅ＋ａｃ１（ΔＴ＿ｉ−ｂｃ））・・・（１０）
【０１３２】
変数ａｃ１及びｂｃの値は、当業者が実験又は理論に基づいて定めることができる。変数ａｃ１及びｂｃの値は、第ｉ温度差ΔＴ＿ｉが外部温度Ｔ９から基準温度Ｔ０を減算した値である＋Ｔｃ以上の場合に、特定関数ｆ（ΔＴ＿ｉ）の値が「０」に十分に近くなる値に定められるのが望ましい。また、変数ａｃ１及びｂｃの値は、第ｉ温度差ΔＴ＿ｉが値「０」以下の場合に、特定関数ｆ（ΔＴ＿ｉ）の値が「１」に十分に近くなる値に定められるのが望ましい。
【０１３３】
＜実施の形態２の変形例２＞
本変形例に係る消費電力特定装置１００は、実施の形態２に係る消費電力特定装置１００と同じ構成及び機能を有している。しかし、本変形例に係る消費電力特定装置１００は、割合変数β＿ｈを特定する暖房用の特定関数として、以下の式（１１）及び（１２）並びに図２１に示す特定関数ｆ（ΔＴ＿ｉ）を用いる点で、実施の形態２に係る消費電力特定装置１００と異なる。
【０１３４】
ΔＴ＿ｉ≧−Ｔｈの場合、特定関数ｆ（ΔＴ＿ｉ）＝１−ｅ−ａｈ２（ΔＴ＿ｉ＋Ｔｈ）・・・（１１）
ΔＴ＿ｉ＜−Ｔｈの場合、特定関数ｆ（ΔＴ＿ｉ）＝０・・・（１２）
【０１３５】
また、本変形例に係る消費電力特定装置１００は、割合変数β＿ｃを特定する冷房用の特定関数として、以下の式（１３）及び（１４）に示す指数特定関数ｆ（ΔＴ＿ｉ）を用いる点で、実施の形態１及び２に係る消費電力特定システム１と異なる。
【０１３６】
ΔＴ＿ｉ≦＋Ｔｃの場合、特定関数ｆ（ΔＴ＿ｉ）＝１−ｅ＋ａｃ２（ΔＴ＿ｉ−Ｔｃ）・・・（１３）
ΔＴ＿ｉ＞＋Ｔｃの場合、特定関数ｆ（ΔＴ＿ｉ）＝０・・・（１４）
【０１３７】
変数ａｈ２及び変数ａｃ２の値は、当業者が実験又は理論に基づいて定めることができる。変数ａｈ２の値は、第ｉ温度差ΔＴ＿ｉが値「０」以上の場合に、特定関数ｆ（ΔＴ＿ｉ）の値が「１」に十分に近くなる値に定められるのが望ましい。また、変数ａｃ２の値は、第ｉ温度差ΔＴ＿ｉが値「０」以下の場合に、特定関数ｆ（ΔＴ＿ｉ）の値が「１」に十分に近くなる値に定められるのが望ましい。
【０１３８】
＜実施の形態２の変形例３＞
本変形例に係る消費電力特定装置１００は、実施の形態２に係る消費電力特定装置１００と同じ構成及び機能を有している。実施の形態２に係る消費電力特定装置１００は、割合変数β＿ｈを特定する暖房用の特定関数として、連続な関数を使用したが、本変形例に係る消費電力特定装置１００は、不連続な関数を使用する点で、実施の形態２に係る消費電力特定装置１００と異なる。本変形例に係る消費電力特定装置１００は、割合変数β＿ｈを特定する暖房用の特定関数として、以下の式（１５）及び（１６）を用いる。
【０１３９】
ΔＴ＿ｉ＜０の場合、特定関数ｆ（ΔＴ＿ｉ）＝０・・・（１５）
ΔＴ＿ｉ≧０の場合、特定関数ｆ（ΔＴ＿ｉ）＝１・・・（１６）
【０１４０】
＜実施の形態２の変形例４＞
本変形例に係る消費電力特定装置１００は、実施の形態２に係る消費電力特定装置１００と同じ構成及び機能を有している。実施の形態２に係る消費電力特定装置１００は、第１空間１１ないし第４空間１４で、同じ暖房用の特定関数と同じ冷房用の特定関数を用いた。しかし、これに限定される訳では無く、消費電力特定装置１００は、暖房用の特定関数又は冷房用の特定関数として、第１空間１１ないし第４空間１４で互いに異なる特定関数を用いても良い。
【０１４１】
本変形例に係る消費電力特定装置１００は、第１空間１１の第１流入量Ｖ＿１に対して用いる特定関数として、第２空間１２の第２流入量Ｖ＿２ないし第４空間１４の第４流入量Ｖ＿４に対して用いる特定関数よりも大きい値の割合変数を特定する特定関数を用いる。第１空間１１を使用する者に対して、第２空間１２ないし第４空間１４を使用する者よりも、使用した単位電力量当たり高い料金を課金するためである。
【０１４２】
＜実施の形態２の変形例５＞
実施の形態２に係る消費電力特定システム１は、屋根裏７に設置された温度測定部４９を備えるとして説明した。しかし、温度測定部４９の設置場所は、屋根裏７に限定されるのではなく、天井裏８、床下、壁、第１通風路２１ないし第４通風路２４が通るダクトスペース、又は建物９の外部であっても良い。つまり、温度測定部４９は、外部温度として、天井裏８、床下、壁、ダクトスペース、又は建物９の外部の温度を測定しても良い。
【０１４３】
また、実施の形態２に係る消費電力特定装置１００は、空気調和機２０が送風運転している場合に、第１温度測定部４１ないし第４温度測定部４４のいずれかが測定した温度を、外部温度としても良い。
【０１４４】
さらに、実施の形態２に係る消費電力特定装置１００は、空気調和機２０と第１通風路２１との接続部分に設置された温度測定部４０の測定値を基準温度Ｔ０とすると説明した。しかし、これに限定されるのではなく、消費電力特定装置１００は、空気調和機２０が送出する空気の温度として、空気調和機２０に設定された設定温度を基準温度Ｔ０としても良い。つまり、消費電力特定装置１００は、図３の通信回路１０５で、空気調和機２０の不図示の通信回路から送信された設定温度を表す情報を受信し、受信した情報で表される温度を基準温度Ｔ０としても良い。
【０１４５】
またさらに、消費電力特定装置１００は、ユーザに操作された操作ボタン１０９から入力された任意の温度を、基準温度Ｔ０又は外部温度Ｔ９としても良い。
【０１４６】
＜実施の形態２の変形例６＞
実施の形態２では、空気調和機２０は、居間、寝室といった第１空間１１ないし第４空間１４の空気を調和すると説明した。しかし、第１空間１１ないし第４空間１４は、居間及び寝室に限定される訳ではなく、廊下、階段、玄関、トイレ、浴室、又はキッチンであっても良い。また、実施の形態２では、消費電力特定システム１は、建物９に設置されると説明したが、これに限定される訳ではなく、客船又は列車に設置されても良い。
【０１４７】
本発明の実施の形態１、実施の形態２、及び、実施の形態２の変形例１から６は、互いに組み合わせることができる。
【０１４８】
本発明の実施の形態１、実施の形態２、及び、実施の形態２の変形例１から６のいずれかに係る機能を実現するための構成を予め備えた消費電力特定装置１００として提供できることはもとより、プログラムの適用により、既存の消費電力特定装置を実施の形態１、実施の形態２、及び、実施の形態２の変形例１から６のいずれかに係る消費電力特定装置１００として機能させることもできる。すなわち、上記実施の形態１、実施の形態２、及び、実施の形態２の変形例１から６のいずれかで例示した消費電力特定装置１００による各機能構成を実現させるためのプログラムを、既存の消費電力特定装置を制御するコンピューター（ＣＰＵなど）が実行することで、実施の形態１、実施の形態２、及び、実施の形態２の変形例１から６のいずれかに係る消費電力特定装置１００として機能させることができる。
【０１４９】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。尚、消費電力特定方法は、消費電力特定システム１を用いて実施できる。
【０１５０】
また、本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１５１】
本発明は、空気調和機が消費する電力を特定する消費電力特定システムに適する。
【符号の説明】
【０１５２】
１  消費電力特定システム、７  屋根裏、８  天井裏、９  建物、１１ないし１４  第１空間ないし第４空間、１５,１６  共用空間、２０  空気調和機、２１ないし２４  第１通風路ないし第４通風路、３１ないし３４  吹出口、３１ａないし３４ａ  流量調整バルブ、４０，４９  温度測定部、４１ないし４４  第１温度測定部ないし第４温度測定部、５１ないし５４  第１流入量測定部ないし第４流入量測定部、６０  電流測定部、６１,６５  分電盤、６２，６３，６６，６７  電源ライン、８０  通信網、９０  供給電力管理サーバ、１００  消費電力特定装置、１０１,２０１  ＣＰＵ、１０２,２０２  ＲＯＭ、１０３,２０３  ＲＡＭ、１０４,２０４  ハードディスク、１０５  通信回路、１０７,２０７  ビデオカード、１０８,２０８  ＬＣＤ、１０９  操作ボタン、１１０  情報取得部、１１１  温度情報取得部、１１２  流入量情報取得部、１１３  電流情報取得部、１１４  電力情報取得部、１１５  運転情報取得部、１２０  送出量特定部、１３０  消費電力特定部、１６０  消費電力量特定部、１７０  出力制御部、１８０  情報出力部、１８１  情報表示部、１８２  情報通信部、１９０  情報記憶部、２００  課金サーバ、２０６  ＬＡＮカード、２０９  キーボード、２１０  供給電力量取得部、２２０  消費電力量取得部、２３０  料金計算部、２４０  課金部、２９０  情報記憶部
【図１】
2018185072.tif 000003
【図２】
2018185072.tif 000004
【図３】
2018185072.tif 000005
【図４】
2018185072.tif 000006
【図５】
2018185072.tif 000007
【図６】
2018185072.tif 000008
【図７】
2018185072.tif 000009
【図８】
2018185072.tif 000010
【図９】
2018185072.tif 000011
【図１０】
2018185072.tif 000012
【図１１】
2018185072.tif 000013
【図１２】
2018185072.tif 000014
【図１３】
2018185072.tif 000015
【図１４】
2018185072.tif 000016
【図１５】
2018185072.tif 000017
【図１６】
2018185072.tif 000018
【図１７】
2018185072.tif 000019
【図１８】
2018185072.tif 000020
【図１９】
2018185072.tif 000021
【図２０】
2018185072.tif 000022
【図２１】
2018185072.tif 000023